(57)【特許請求の範囲】
【請求項１】
無線リソース制御（ＲＲＣ）接続再開メッセージに応答するための、無線デバイス（ＷＤ）（４０）のための処理時間をセットするための、基地局（２０）における方法であって、前記ＲＲＣ接続再開メッセージが、前記ＷＤ（４０）のためのＲＲＣ接続の確立または再設定に関係し、前記方法は、
前記ＷＤのための前記ＲＲＣ接続の前記確立または前記再設定に関係してショート処理時間条件がいつ存在するかを決定すること（Ｓ１０４）と、
ショート処理時間条件が存在するとき、ショート処理時間を示すメッセージを前記ＷＤに送ること（Ｓ１０６）と、
ショート処理時間条件が存在しないとき、レガシー処理時間を示すメッセージを前記ＷＤに送ること（Ｓ１０８）と
を含む、方法。
【請求項２】
前記ショート処理時間を示す前記メッセージ、または前記レガシー処理時間を示す前記メッセージが、ＲＲＣ接続再開メッセージ、システム情報メッセージ、Ｌ１／Ｌ２制御メッセージ、Ｌ２制御メッセージ、およびＲＲＣメッセージのうちの１つである、請求項１に記載の方法。
【請求項３】
前記ＷＤ（４０）と前記基地局（２０）との間の通信がアイドル状態に入るとき、前記基地局においてＷＤコンテキストを記憶すること（Ｓ１００）と、
前記ＷＤ（４０）から無線リソース制御（ＲＲＣ）接続再開要求を受信すること（Ｓ１０２）と
をさらに含む、請求項１または２に記載の方法。
【請求項４】
前記メッセージは、前記ＷＤ（４０）がＲＲＣ接続再開完了メッセージを送信するべきである時間を示す、請求項１から３のいずれか一項に記載の方法。
【請求項５】
ショート処理時間条件がいつ存在するかを決定すること（Ｓ１０４）は、前記ＷＤのための前記ＲＲＣ接続の前記再設定が、ステップのあらかじめ規定されたセットからのステップを使用すると決定することを含む、請求項１から４のいずれか一項に記載の方法。
【請求項６】
ショート処理時間条件がいつ存在するかを決定すること（Ｓ１０４）は、前記ＷＤのための前記ＲＲＣ接続の前記再設定が、シグナリングすることが必須であるパラメータのみを使用すると決定することを含む、請求項１から４のいずれか一項に記載の方法。
【請求項７】
ショート処理時間条件がいつ存在するかを決定すること（Ｓ１０４）は、前記ＷＤのための前記ＲＲＣ接続の前記再設定が、セキュリティキーのみを更新すると決定することを含む、請求項１から４のいずれか一項に記載の方法。
【請求項８】
無線リソース制御（ＲＲＣ）接続再開メッセージに応答するための、無線デバイス（ＷＤ）（４０）のための処理時間をセットするための、基地局（２０）であって、前記ＲＲＣ接続再開メッセージが、前記ＷＤのためのＲＲＣ接続の確立または再設定に関係し、前記基地局は、
前記ＷＤのための前記ＲＲＣ接続の前記確立または前記再設定に関係してショート処理時間条件がいつ存在するかを決定するように設定された処理回路要素（２６）と、
ショート処理時間条件が存在するとき、ショート処理時間を示すメッセージを前記ＷＤに送り、かつ
ショート処理時間条件が存在しないとき、レガシー処理時間を示すメッセージを前記ＷＤに送るように設定された、送信機（３４）と
を備える、基地局（２０）。
【請求項９】
前記ショート処理時間を示す前記メッセージ、または前記レガシー処理時間を示す前記メッセージが、ＲＲＣ接続再開メッセージ、システム情報メッセージ、Ｌ１／Ｌ２制御メッセージ、Ｌ２制御メッセージ、およびＲＲＣメッセージのうちの１つである、請求項８に記載の基地局。
【請求項１０】
前記処理回路要素（２６）は、前記ＷＤと前記基地局との間の通信がアイドル状態に入るとき、前記基地局においてＷＤコンテキストを記憶するようにさらに設定され、前記基地局が、前記ＷＤから無線リソース制御（ＲＲＣ）接続再開要求を受信するように設定された受信機をさらに備える、請求項８または９に記載の基地局。
【請求項１１】
前記メッセージは、前記ＷＤがＲＲＣ接続再開完了メッセージを送信するべきである時間を示す、請求項８から１０のいずれか一項に記載の基地局。
【請求項１２】
ショート処理時間条件がいつ存在するかを決定することは、前記ＷＤの再設定が、ステップのあらかじめ規定されたセットからのステップを使用すると決定することを含む、請求項８から１１のいずれか一項に記載の基地局。
【請求項１３】
ショート処理時間条件がいつ存在するかを決定することは、前記ＷＤの再設定が、シグナリングすることが必須であるパラメータのみを使用すると決定することを含む、請求項８から１１のいずれか一項に記載の基地局。
【請求項１４】
ショート処理時間条件がいつ存在するかを決定することは、前記ＷＤの再設定が、セキュリティキーのみを更新すると決定することを含む、請求項８から１１のいずれか一項に記載の基地局。
【請求項１５】
基地局（２０）からの無線リソース制御（ＲＲＣ）接続再開メッセージに応答するための、無線デバイス（ＷＤ）（４０）における方法であって、前記ＲＲＣ接続再開メッセージが、前記ＷＤのためのＲＲＣ接続の確立または再設定に関係し、前記方法は、
前記基地局（２０）から前記ＲＲＣ接続再開メッセージを受信すること（Ｓ１１０）と、
前記基地局（２０）から受信されたメッセージから、ＲＲＣ接続再開完了メッセージをいつ送るべきかを決定すること（Ｓ１１２）と、
前記メッセージがショート処理時間を示すとき、第１の時間において前記ＲＲＣ接続再開完了メッセージを前記基地局（２０）に送ること（Ｓ１１６）と、
前記メッセージがレガシー処理時間を示すとき、第２の時間において前記ＲＲＣ接続再開完了メッセージを前記基地局（２０）に送ること（Ｓ１１８）と
を含む、方法。
【請求項１６】
前記メッセージが、前記ＲＲＣ接続再開メッセージ、システム情報メッセージ、Ｌ１／Ｌ２制御メッセージ、Ｌ２制御メッセージ、およびＲＲＣメッセージのうちの１つである、請求項１５に記載の方法。
【請求項１７】
前記メッセージは、前記ＷＤ（２０）が前記ＲＲＣ接続再開完了メッセージを送信するべきである時間を示す、請求項１５または１６に記載の方法。
【請求項１８】
前記ＷＤ（２０）が、前記ＷＤの再設定に関連する処理時間に基づいて前記第１の時間を決定する、請求項１５または１６に記載の方法。
【請求項１９】
前記ＷＤの再設定に関連する前記処理時間が、前記基地局において知られている、請求項１８に記載の方法。
【請求項２０】
基地局（４０）からの無線リソース制御（ＲＲＣ）接続再開メッセージに応答するための、無線デバイス（ＷＤ）（２０）であって、前記ＲＲＣ接続再開メッセージが、前記ＷＤのためのＲＲＣ接続の確立または再設定に関係し、前記ＷＤは、
前記基地局（４０）から前記ＲＲＣ接続再開メッセージを受信するように設定された受信機（５２）と、
前記基地局から受信されたメッセージから、ＲＲＣ接続再開完了メッセージをいつ送るべきかを決定するように設定された処理回路要素（４６）と、
前記メッセージがショート処理時間を示すとき、第１の時間において前記ＲＲＣ接続再開完了メッセージを前記基地局に送り、かつ
前記メッセージがレガシー処理時間を示すとき、第２の時間において前記ＲＲＣ接続再開完了メッセージを前記基地局に送るように設定された送信機（５４）と
を含む、無線デバイス（ＷＤ）（２０）。
【請求項２１】
前記メッセージが、前記ＲＲＣ接続再開メッセージ、システム情報メッセージ、Ｌ１／Ｌ２制御メッセージ、Ｌ２制御メッセージ、およびＲＲＣメッセージのうちの１つである、請求項２０に記載のＷＤ。
【請求項２２】
前記メッセージは、前記ＷＤが前記ＲＲＣ接続再開完了メッセージを送信するべきである時間を示す、請求項２０または２１に記載のＷＤ。
【請求項２３】
前記ＷＤが、前記ＷＤの再設定に関連する処理時間に基づいて前記第１の時間を決定する、請求項２０または２１に記載のＷＤ。
【請求項２４】
前記ＷＤの再設定に関連する前記処理時間が、前記基地局（４０）において知られている、請求項２３に記載のＷＤ。
【発明の詳細な説明】
【技術分野】
【０００１】
本開示は、無線通信に関し、詳細には、制御プレーンレイテンシ低減に関する。
【背景技術】
【０００２】
第３世代パートナーシッププロジェクト（３ＧＰＰ）文書３６．３２１および３６．２１３において、ｌｏｎｇ  ｔｅｒｍ  ｅｖｏｌｕｔｉｏｎ（ＬＴＥ）におけるランダムアクセスが明記されている。無線デバイス（ＷＤ）が初期アクセスを実施するために、また、ＷＤが「アイドル」モードから「被接続（ｃｏｎｎｅｃｔｅｄ）」モードに遷移するたびに、いくつかのシグナリングステップが必要とされる。
【０００３】
小さいデータ転送をより効率的に扱うために、３ＧＰＰは、無線リソース制御（ＲＲＣ）アイドルからＲＲＣ被接続に遷移するときの、シグナリングオーバーヘッドを低減するための方法を研究した。選定されたソリューションのうちの１つは、「ＲＲＣ再開」プロシージャの導入であり、これは、後続のＲＲＣ接続セットアップのために、前のＲＲＣ接続からのＷＤコンテキストを再利用することに基づく。基地局、たとえば、エボルブドノードＢ（ｅＮＢ）においてＷＤコンテキストを記憶することによって、セキュリティアクティブ化に必要なシグナリングと、次のＲＲＣアイドルＲＲＣ被接続間遷移におけるベアラ確立とが回避され得る。
【０００４】
ＲＲＣ再開は、２つの新しいプロシージャ「ＲＲＣ中断」および「ＲＲＣ再開」を導入することによって実現される。ｅＮＢは、「ＲＲＣ接続中断」メッセージをＷＤに送ることによって接続を中断する。これは、図１に示されている。これは、たとえば、ある期間の間、ＷＤが非アクティブであった後に起こり得る。ＷＤとｅＮＢの両方は、ＷＤコンテキストおよび（再開ＩＤと呼ばれる）関連する識別子を記憶する。ＷＤコンテキストは、たとえば、ベアラ設定およびセキュリティ関係パラメータを含んでいる。
【０００５】
ＲＲＣアイドルからＲＲＣ被接続への次の遷移において、ＷＤは、ｅＮＢに「ＲＲＣ接続再開要求」を送ることによって、接続を再開する。これは、図２に示されている。メッセージは、ｅＮＢがＷＤコンテキストを取り出すために使用する、前に受信された再開ＩＤを含んでいる。ｅＮＢがＷＤをセキュアに識別することを可能にするために、認可トークンも提供される。ＷＤコンテキストが見つけられ、認可トークンが有効であると仮定すると、ｅＮＢは、接続が再開されていることを確認するために、「ＲＲＣ接続再開」で応答する。ＷＤは、「ＲＲＣ接続再開完了」を送ることによって受信に肯定応答する。
【０００６】
ＲＲＣ再開プロシージャは、必ずしも単一のセルまたは単一のｅＮＢに限定されるとは限らず、ｅＮＢ間でもサポートされ得る。ｅＮＢ間接続再開がコンテキストフェッチングを使用して扱われ、それにより、再開側ｅＮＢは、Ｘ２インターフェースを介して中断中のｅＮＢからＷＤコンテキストを取り出す。再開側ｅＮＢは、ＷＤコンテキストを識別するために中断中のｅＮＢによって使用される再開ＩＤを提供する。
【０００７】
ＲＲＣ接続中断、ＲＲＣ接続再開要求、ＲＲＣ接続再開、およびＲＲＣ接続再開完了メッセージは、３ＧＰＰによるＲＲＣ再開の最終仕様における名前とは異なり得ることに留意されたい。
【０００８】
現在のＬＴＥでは、ＷＤは、ネットワークからのＲＲＣ接続再開メッセージにＲＲＣ接続再開完了で応答することが予想される。ＷＤが応答する前に、ＷＤは、ネットワークによって示されるような新しい設定を適用する。
【０００９】
ＬＴＥでは、ＲＲＣプロシージャのための処理時間がＲＲＣプロトコル仕様において明記されている。たとえば、ＲＲＣ接続確立（ＲＲＣ接続セットアップ／ＲＲＣ接続再開）およびＲＲＣ接続再設定プロシージャのための処理時間が明記されている。
【００１０】
レガシーＬＴＥでは、ＷＤが、ＲＲＣ接続再開を受信した後にタイミングｎ＋ｋサブフレームでＲＲＣ接続再開完了を送る（ここで、ｎはＤＬ  ＲＲＣメッセージが受信される時間であり、ｋは処理遅延要件である）。タイミングｎ＋ｋは、本明細書ではレガシー処理時間と呼ばれる。しかしながら、いくつかの場合には、処理時間要件は、レガシー処理時間によって許されるものよりも小さい。
【発明の概要】
【００１１】
いくつかの実施形態は、無線リソース制御（ＲＲＣ）接続再開メッセージに応答するための、無線デバイス（ＷＤ）のための処理時間をセットするための、方法およびシステムを有利に提供する。一態様によれば、基地局における方法は、ＷＤのためのＲＲＣ接続の確立または再設定に関係してショート処理時間条件がいつ存在するかを決定することと、ショート処理時間条件が存在するとき、ショート処理時間を示すメッセージをＷＤに送ることと、ショート処理時間条件が存在しないとき、レガシー処理時間を示すメッセージをＷＤに送ることとを含む。
【００１２】
本態様によれば、いくつかの実施形態では、ショート処理時間を示すメッセージ、またはレガシー処理時間を示すメッセージは、ＲＲＣ接続再開メッセージ、システム情報メッセージ、Ｌ１／Ｌ２制御メッセージ、Ｌ２制御メッセージ、およびＲＲＣメッセージのうちの１つである。いくつかの実施形態では、本方法は、ＷＤと基地局との間の通信がアイドル状態に入るとき、基地局においてＷＤコンテキストを記憶することを含む。いくつかの実施形態では、本方法は、ＷＤから無線リソース制御（ＲＲＣ）接続再開要求を受信することを含む。いくつかの実施形態では、メッセージは、ＷＤがＲＲＣ接続再開完了メッセージを送信するべきである時間を示す。いくつかの実施形態では、ショート処理時間条件がいつ存在するかを決定することは、ＷＤの再設定が、ステップのあらかじめ規定されたセットからのステップを使用すると決定することを含む。いくつかの実施形態では、ショート処理時間条件がいつ存在するかを決定することは、ＷＤの再設定が、シグナリングすることが必須であるパラメータのみを使用すると決定することを含む。いくつかの実施形態では、ショート処理時間条件がいつ存在するかを決定することは、ＷＤの再設定が、セキュリティキーのみを更新すると決定することを含む。
【００１３】
別の態様によれば、無線リソース制御（ＲＲＣ）接続再開メッセージに応答するための、無線デバイス（ＷＤ）のための処理時間をセットするための、基地局が提供される。基地局は、ＷＤのためのＲＲＣ接続の確立または再設定に関係してショート処理時間条件がいつ存在するかを決定するように設定された処理回路要素と、ショート処理時間条件が存在するとき、ショート処理時間の予想を示すＲＲＣ接続再開メッセージをＷＤに送り、ショート処理時間条件が存在しないとき、レガシー処理時間の予想を示すＲＲＣ接続再開メッセージをＷＤに送るように設定された送信機とを含む。
【００１４】
本態様によれば、いくつかの実施形態では、ショート処理時間を示すメッセージ、またはレガシー処理時間を示すメッセージは、ＲＲＣ接続再開メッセージ、システム情報メッセージ、Ｌ１／Ｌ２制御メッセージ、Ｌ２制御メッセージ、およびＲＲＣメッセージのうちの１つである。いくつかの実施形態では、処理回路要素は、ＷＤと基地局との間の通信がアイドル状態に入るとき、基地局においてＷＤコンテキストを記憶するようにさらに設定される。いくつかの実施形態では、基地局は、ＷＤから無線リソース制御（ＲＲＣ）接続再開要求を受信するように設定された受信機をも含む。いくつかの実施形態では、メッセージは、ＷＤがＲＲＣ接続再開完了メッセージを送信するべきである時間を示す。いくつかの実施形態では、ショート処理時間条件がいつ存在するかを決定することは、ＷＤの再設定が、ステップのあらかじめ規定されたセットからのステップを使用すると決定することを含む。いくつかの実施形態では、ショート処理時間条件がいつ存在するかを決定することは、ＷＤの再設定が、シグナリングすることが必須であるパラメータのみを使用すると決定することを含む。いくつかの実施形態では、ショート処理時間条件がいつ存在するかを決定することは、ＷＤの再設定が、セキュリティキーのみを更新すると決定することを含む。
【００１５】
別の態様によれば、無線リソース制御（ＲＲＣ）接続再開メッセージに応答するための、無線デバイス（ＷＤ）のための処理時間をセットするための、基地局が提供される。条件決定モジュールは、ＷＤのためのＲＲＣ接続の確立または再設定に関係してショート処理時間条件がいつ存在するかを決定することを行うように設定される。送信機モジュールは、ショート処理時間条件が存在するとき、ショート処理時間を示すメッセージをＷＤに送ることと、ショート処理時間条件が存在しないとき、レガシー処理時間を示すメッセージをＷＤに送ることとを行うように設定される。
【００１６】
本態様によれば、いくつかの実施形態では、ショート処理時間を示すメッセージ、またはレガシー処理時間を示すメッセージは、ＲＲＣ接続再開メッセージ、システム情報メッセージ、Ｌ１／Ｌ２制御メッセージ、Ｌ２制御メッセージ、およびＲＲＣメッセージのうちの１つである。いくつかの実施形態では、基地局は、ＷＤがアイドル状態に入るとき、基地局においてＷＤコンテキストを記憶するように設定されたメモリモジュールを含む。受信機モジュールは、ＷＤから、ＷＤからの無線リソース制御（ＲＲＣ）接続再開要求を受信するように設定される。
【００１７】
また別の態様によれば、基地局からの無線リソース制御（ＲＲＣ）接続再開メッセージに応答するための、無線デバイス（ＷＤ）における方法であって、ＲＲＣ接続再開メッセージが、ＷＤのためのＲＲＣ接続の確立または再設定に関係する、方法が提供される。本方法は、基地局からＲＲＣ接続再開メッセージを受信することを含む。本方法は、基地局から受信されたメッセージから、ＲＲＣ接続再開完了メッセージをいつ送るべきかを決定することを含む。本方法は、メッセージがショート処理時間を示すとき、第１の時間においてＲＲＣ接続再開完了メッセージを基地局に送ることと、メッセージがレガシー処理時間を示すとき、第２の時間においてＲＲＣ接続再開完了メッセージを基地局に送ることとを含む。
【００１８】
本態様によれば、いくつかの実施形態では、メッセージは、ＲＲＣ接続再開メッセージ、システム情報メッセージ、Ｌ１／Ｌ２制御メッセージ、Ｌ２制御メッセージ、およびＲＲＣメッセージのうちの１つである。いくつかの実施形態では、メッセージは、ＷＤがＲＲＣ接続再開完了メッセージを送信するべきである時間を示す。いくつかの実施形態では、ＷＤは、ＷＤの再設定に関連する処理時間に基づいて第１の時間を決定する。いくつかの実施形態では、ＷＤの再設定に関連する処理時間は、基地局において知られている。
【００１９】
別の態様によれば、基地局からの無線リソース制御（ＲＲＣ）接続再開メッセージに応答するための、無線デバイス（ＷＤ）であって、ＲＲＣ接続再開メッセージが、ＷＤのためのＲＲＣ接続の確立または再設定に関係する、ＷＤが提供される。ＷＤは、基地局からＲＲＣ接続再開メッセージを受信するように設定された受信機を含む。ＷＤは、基地局から受信されたメッセージから、ＲＲＣ接続再開完了メッセージをいつ送るべきかを決定するように設定された処理回路要素をも含む。送信機は、メッセージがショート処理時間を示すとき、第１の時間においてＲＲＣ接続再開完了メッセージを基地局に送ることと、メッセージがレガシー処理時間を示すとき、第２の時間においてＲＲＣ接続再開完了メッセージを基地局に送ることとを行うように設定される。
【００２０】
本態様によれば、いくつかの実施形態では、メッセージは、ＲＲＣ接続再開メッセージ、システム情報メッセージ、Ｌ１／Ｌ２制御メッセージ、Ｌ２制御メッセージ、およびＲＲＣメッセージのうちの１つである。いくつかの実施形態では、メッセージは、ＷＤがＲＲＣ接続再開完了メッセージを送信するべきである時間を示す。いくつかの実施形態では、ＷＤは、ＷＤの再設定に関連する処理時間に基づいて第１の時間を決定する。いくつかの実施形態では、ＷＤの再設定に関連する処理時間は、基地局において知られている。
【００２１】
また別の態様によれば、基地局からの無線リソース制御（ＲＲＣ）接続再開メッセージに応答するための、無線デバイス（ＷＤ）であって、ＲＲＣ接続再開メッセージが、ＷＤのためのＲＲＣ接続の確立または再設定に関係する、ＷＤが提供される。ＷＤは、基地局からＲＲＣ接続再開メッセージを受信するように設定された受信機モジュールを含む。ＷＤは、基地局から受信されたメッセージから、ＲＲＣ接続再開完了メッセージをいつ送るべきかを決定するように設定された送信時間決定モジュールを含む。送信機モジュールは、メッセージがショート処理時間を示すとき、第１の時間においてＲＲＣ接続再開完了メッセージを基地局に送ることと、メッセージがレガシー処理時間を示すとき、第２の時間においてＲＲＣ接続再開完了メッセージを基地局に送ることとを行うように設定される。
【００２２】
添付の図面とともに考慮されるとき、以下の詳細な説明を参照することによって、本実施形態のより完全な理解、およびそれらの付随する利点および特徴がより容易に理解されよう。
【図面の簡単な説明】
【００２３】
【図１】ＷＤとｅＮＢとの間のＲＲＣ接続の中断を示す信号図である。
【図２】ＷＤとｅＮＢとの間のＲＲＣ接続の再開を示す信号図である。
【図３】本明細書に記載される原理に従って設定された無線通信ネットワークの図である。
【図４】本明細書に記載される原理に従って設定された基地局のブロック図である。
【図５】本明細書に記載される原理に従って設定された基地局の代替実施形態のブロック図である。
【図６】本明細書に記載される原理に従って設定された無線デバイスのブロック図である。
【図７】本明細書に記載される原理に従って設定された無線デバイスの代替実施形態のブロック図である。
【図８】無線デバイス（ＷＤ）による無線リソース制御（ＲＲＣ）接続再開メッセージに応答するための処理時間をセットするための例示的なプロセスのフローチャートである。
【図９】基地局からの無線リソース制御（ＲＲＣ）接続再開メッセージに応答するための無線デバイス（ＷＤ）における例示的なプロセスのフローチャートである。
【発明を実施するための形態】
【００２４】
例示的な実施形態について詳細に説明する前に、実施形態は、主に、処理要件の指示による制御プレーンレイテンシ低減に関係する、装置構成要素と処理ステップとの組合せ中に存在することを留意されたい。それに応じて、本明細書の説明の利益を有する当業者に容易に明らかになるであろう詳細で本開示を不明瞭にしないように、適切な場合、図面において構成要素が従来のシンボルによって表され、実施形態を理解することに関係するそれらの具体的な詳細のみを示す。
【００２５】
本明細書で使用される、「第１」および「第２」、「上部」および「下部」などの関係語は、単に、あるエンティティまたはエレメントを別のエンティティまたはエレメントから区別するために、必ずしもそのようなエンティティまたはエレメント間の何らかの物理的または論理的関係または順序を必要とすることまたは暗示することなしに、使用され得る。
【００２６】
レガシーＬＴＥでは、ＷＤが、ＲＲＣ接続再開を受信した後にタイミングｎ＋ｋサブフレームでＲＲＣ接続再開完了を送る。しかしながら、いくつかの場合には、処理要件はより小さく、処理はより高速に行われ得る。アイドルから被接続への遷移時間を低減するための手段として、ＲＲＣ被接続からのＷＤコンテキストがネットワークによって記憶され、ＷＤが再開して被接続モードになるべきであるとき、後でフェッチされ得る。これは、よりショートな遷移時間を可能にする。
【００２７】
ＬＴＥおよび３ＧＰＰ準拠システムへの言及が行われるが、本明細書で説明される実施形態は、そのように限定されず、他の無線通信システムにおいて実装され得る。本明細書で使用される無線デバイスまたはモバイル端末という用語は、セルラーまたは移動体通信システムにおけるネットワークノードおよび／または別の無線デバイスと通信する任意のタイプの無線デバイスを指し得る。無線デバイスの例は、ユーザ機器（ＵＥ）、ターゲットデバイス、デバイスツーデバイス（Ｄ２Ｄ）無線デバイス、マシン型無線デバイスまたはマシンツーマシン（Ｍ２Ｍ）通信が可能な無線デバイス、ＰＤＡ、タブレット、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどである。
【００２８】
基地局、たとえば、無線基地局（ＲＢＳ）という用語は、使用される技術および術語に応じて、本明細書では、たとえば、エボルブドノードＢ「ｅＮＢ」、「ｅノードＢ」、「ノードＢ」、「Ｂノード」、またはＢＴＳ（基地トランシーバ局）と呼ばれることがある。基地局は、送信電力、および、それによりセルサイズにも基づいて、たとえば、マクロｅノードＢ、ホームｅノードＢまたはピコ基地局など、異なるクラスのものであり得る。セルは、基地局サイトにおける基地局によって無線カバレッジが与えられる、地理的エリアである。基地局サイト上に位置する１つの基地局は、１つまたは数個のセルをサーブし得る。さらに、各基地局は、１つまたは数個の通信技術をサポートし得る。基地局は、基地局の範囲内で、無線周波数上で動作するエアインターフェースを介して無線デバイスと通信する。本開示のコンテキストでは、ダウンリンク（ＤＬ）は、基地局から無線デバイスへの送信経路を指す。アップリンク（ＵＬ）は、反対方向における、すなわち、無線デバイスから基地局への送信経路を指す。
【００２９】
３ＧＰＰ  ＬＴＥでは、基地局は、１つまたは複数のコアネットワークに直接接続され得る。さらに、基地局に関して実施形態が説明されるが、本明細書で説明される実施形態は、任意の好適なネットワークノードにおいてまたは任意の好適なネットワークノードにわたって実装され得、基地局がその一種であることを理解されたい。
【００３０】
実施形態は、ＲＲＣ接続再開において新しいＷＤに処理要件をシグナリングするためのやり方を提供する。ショート処理が示される場合、ＷＤは、新タイミングｎ＋ｋｎｅｗサブフレームとともにＲＲＣ接続再開完了で返答する。本明細書で言及されるタイミングは、サブフレームまたは他の好適なタイミングメトリック（たとえば、ミリ秒、秒、フレーム、送信時間間隔、スロット、シンボルなど）に関して規定され得ることを、当業者によって理解されよう。
【００３１】
図３は、ＷＤのアイドル状態と被接続状態との間の処理時間をセットするために設定された無線通信ネットワーク１０の図である。システムは、一般に、本明細書ではまとめて基地局２０と呼ばれる、複数の基地局を含む。参照しやすいように、（本明細書ではまとめて基地局２０と呼ばれる）２つの基地局２０Ａおよび２０Ｂのみが図３に示されている。基地局２０は、一般に、本明細書ではまとめてＷＤ４０と呼ばれる、複数の無線デバイスと通信していることがある。参照しやすいように、２つのＷＤ４０Ａおよび４０Ｂのみが図３に示されている。基地局２０は、Ｘ２インターフェースによって互いと通信していることもある。さらに、基地局２０は、一般に、バックホールネットワークと、インターネットと、公衆交換電話網（ＰＳＴＮ）とを含み得る、ネットワーククラウド１６と通信していることがある。基地局２０によって実施されているいくつかの機能に関して実施形態が本明細書で説明されるが、機能は、他のネットワークノードおよびエレメントにおいて実施され得ることを理解されたい。基地局２０または他のネットワークノードの機能は、他のノードが、本明細書で説明される１つまたは複数の機能、さらには機能の一部を実施することができるように、ネットワーククラウド１６にわたって分散され得ることも理解されたい。
【００３２】
本明細書で説明されるいくつかの実施形態では、基地局２０は、ショート処理時間が実装されるべきであることをＷＤ４０に示すための条件が存在するかどうかを決定するための、ショート処理時間条件決定器３０を含み得る。いくつかの実施形態では、ＷＤ４０は、ＲＲＣ接続再開完了メッセージを送信するための時間が、ショート処理時間の後に送られるべきであるのか、レガシー処理時間の後に送られるべきであるのかを決定するための、送信時間決定器５０を含み得る。
【００３３】
ＲＲＣ再開中に、基地局２０は、ＷＤ４０のための記憶されたコンテキストをフェッチする。コンテキストでは、基地局２０は、ＷＤ４０を新しいＷＤであるものとして識別し得る。新しいＷＤのために、基地局２０は、ＷＤ４０がＲＲＣ接続再開完了メッセージを送信することができるようになる前に、ＷＤ４０において必要とされる処理ステップを識別する。
【００３４】
どの処理時間を適用すべきかについての条件は、複雑さに基づき得る。ＷＤ４０において複雑な再設定が必要とされない場合、基地局２０は、よりショートな処理時間が適用され得ると結論付け得る。他の場合、レガシー処理時間が適用され得る。
【００３５】
一実施形態では、ＷＤ４０において再設定および／または再設定のステップのあらかじめ規定されたセット（またはそれらのサブセット）が必要とされる場合、基地局２０は、よりショートな処理時間が適用され得ると結論付け得る。いくつかの実施形態では、再設定が、シグナリングされなければならない（すなわち、シグナリングから省略され得ない）パラメータのみを備え、他のパラメータが、同じままであり、記憶された／キャッシュされたＷＤコンテキストから復元され得るとき、基地局２０は、よりショートな処理時間が適用され得ると結論付け得る。
【００３６】
別の例として、いくつかの実施形態では、再設定が、変更されなければならないＷＤ設定／状態の態様（たとえば、暗号化するためのセキュリティキー）のみを更新し、他の設定／状態が、同じままであり、記憶された／キャッシュされたＷＤコンテキストから復元され得るとき、基地局２０は、よりショートな処理時間が適用され得ると結論付け得る。
【００３７】
ＷＤ４０においてよりロングな処理時間を必要とする再設定アクションのセットは、ネットワークおよびＷＤ４０に知られ得る。これらのアクションのいずれかが再設定中に必要とされる場合、よりロングな時間が、ネットワークとＷＤ４０の両方によって明示的にまたは暗黙的に示され、仮定され、他の場合、よりショートな時間が仮定される。ベースラインとして、ＷＤ４０がコンテキストにおいて指定されているようなセル中にあるままであったとき、ＲＲＣ接続再開のためのアクションは、よりショートな時間に関連すると仮定され得る。
【００３８】
一実施形態では、ネットワーク、たとえば、基地局２０は、システム情報（ＳＩ）メッセージ中で、低減された処理時間が予想されることをＷＤ４０に示す。他の実施形態では、ネットワークは、レイヤ１／レイヤ２（Ｌ１／Ｌ２）制御シグナリングにおいて、たとえば、Ｌ１／Ｌ２制御チャネル（たとえば、物理ダウンリンク制御チャネル（ＰＤＣＣＨ））上のダウンリンク制御情報（ＤＣＩ）を用いて、Ｌ２制御（たとえば、メディアアクセス制御（ＭＡＣ）制御エレメント）を用いて、または（たとえば、ＲＲＣメッセージ中の）レイヤ３（Ｌ３）制御を用いて、低減された処理時間の予想を示し得る。受信された指示に基づいて、ＷＤ４０は、次いで、以下のサブセクションにおいて策定されるような、タイミングの明示的または暗黙的指示に関係するルールを適用する。
【００３９】
基地局２０は、ＲＲＣ接続再開メッセージ中でＲＲＣ接続再開完了メッセージのタイミングを示し得る。この指示は、ロング（レガシー）タイミングｎ＋ｋサブフレームまたはショート（新）タイミングｎ＋ｋｎｅｗサブフレームのいずれかを示す１ビット（フラグ）であり得る。一実施形態では、ｋｎｅｗは、３ビットで明示的に示される。別の実施形態では、ｋｎｅｗは、ｋｎｅｗ＝ｋ−ｋｓｔｅｐとして示され、ここで、ｋはレガシータイミングであり、ｋｓｔｅｐは２ビットで示される。時間ｋｎｅｗおよび／またはｋｓｔｅｐは、仕様においてハードコード化されるか、絶対値としてシグナリングされるか、またはタイミングの暗黙的決定を与える仕様中のテーブルへのインデックスとしてシグナリングされ得る。
【００４０】
一実施形態では、処理タイミングは、ネットワーク、たとえば、基地局２０によってＷＤ４０に明示的に示されない。代わりに、ＷＤは、再設定において必要とされるタスクのセットから、必要とされる処理時間を決定する。再設定タスクと処理時間との間のマッピングが、ＷＤ４０と、ネットワーク、たとえば、基地局２０の両方において知られている。
【００４１】
一例では、再設定が、再設定／処理ステップ／タスク／アクションのあらかじめ規定された／指定されたセットからの、再設定／処理ステップ／タスク／アクションを必要とするとき、ショート処理時間が適用され、他の場合、ロング（レガシー）タイミングが適用される。
【００４２】
別の例では、再設定が、シグナリングすることが必須である（すなわち、シグナリングから省略され得ない）パラメータのみを備え、他のパラメータが、同じままであり、記憶された／キャッシュされたＷＤコンテキストから復元され得るとき、ショート処理時間が適用され得、他の場合、ロング（レガシー）タイミングが適用され得る。
【００４３】
別の例では、再設定が、変更されなければならないＷＤ設定／状態の態様（たとえば、暗号化するためのセキュリティキー）のみを更新し、他の設定／状態が、同じままであり、記憶された／キャッシュされたＷＤコンテキストから復元され得るとき、ショート処理時間が適用され、他の場合、ロング（レガシー）タイミングが適用され得る。
【００４４】
ＷＤ４０は、ＲＲＣ接続再開完了の送信のために、示されたタイミングｎ＋ｋサブフレームまたはｎ＋ｋｎｅｗサブフレームを適用する。
【００４５】
基地局２０は、ＲＲＣ接続再開が送られたｎ＋ｋまたはｎ＋ｋｎｅｗサブフレーム後に、ＲＲＣ接続再開完了を受信することをスケジュールおよび予想する。
【００４６】
基地局２０は、ＲＲＣ再開中に、記憶されたコンテキストから新しいＷＤ４０を識別し、ＷＤ４０における処理必要を査定する。低減されたタイミングが使用され得る場合、そのタイミングは、ＲＲＣ接続再開メッセージ中でシグナリングされる。  ＷＤ４０は、ＲＲＣ接続再開完了メッセージのために、示されたタイミングを適用する。
【００４７】
図４は、処理回路要素２２を含む基地局２０の一実施形態のブロック図である。いくつかの実施形態では、処理回路要素は、メモリ２４とプロセッサ２６とを含み得、メモリ２４は、プロセッサ２６によって実行されたとき、プロセッサ２６を、本明細書で説明される１つまたは複数の機能を実施するように設定する、命令を含んでいる。旧来のプロセッサおよびメモリに加えて、処理回路要素２２は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。
【００４８】
処理回路要素２２は、メモリ２４を含み、および／またはメモリ２４に接続され、および／またはメモリ２４にアクセスする（たとえば、メモリ２４に書き込むおよび／またはメモリ２４から読み取る）ために設定され得、メモリ２４は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ２４は、制御回路要素によって実行可能なコードおよび／または他のデータ、たとえば、通信に関係するデータ、たとえば、ノードの設定および／またはアドレスデータなどを記憶するように設定され得る。処理回路要素２２は、本明細書で説明される方法のいずれかを制御すること、および／またはそのような方法が、たとえば、プロセッサ２６によって実施されることを引き起こすように設定され得る。対応する命令がメモリ２４に記憶され得、メモリ２４は、処理回路要素２２にとって読取り可能であり、および／または処理回路要素２２に読取り可能に接続され得る。言い換えれば、処理回路要素２２はコントローラを含み得、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを備え得る。処理回路要素２２は、メモリを含むか、あるいはメモリに接続されるかまたはメモリに接続可能であり得、メモリは、コントローラおよび／または処理回路要素２２によって読み取り、および／または書き込みを行うためにアクセス可能であるように設定され得る。
【００４９】
メモリ２４は、ＷＤコンテキスト２８を記憶するように設定される。プロセッサ２６は、ショート処理時間が実装されるべきであることをＷＤ４０に示すための条件が存在するかどうかを決定するように設定されたショート処理時間条件決定器３０を含む。受信機３２は、ＷＤ４０から、ＷＤ４０からの無線リソース制御（ＲＲＣ）接続再開要求を受信するように設定される。送信機３４は、ショート処理時間条件が存在するとき、ショート処理時間の予想を示すＲＲＣ接続再開メッセージをＷＤ４０に送ることと、ショート処理時間条件が存在しないとき、レガシー処理時間の予想を示すＲＲＣ接続再開メッセージをＷＤ４０に送ることとを行うように設定される。
【００５０】
図５は、プロセッサによって実行可能なソフトウェアモジュールで少なくとも部分的に実装され得る、基地局２０の代替実施形態のブロック図である。ショート処理時間条件決定器モジュール３１は、プロセッサに、ショート処理時間条件がいつ存在するかを決定させるように設定される。受信機モジュール３３は、ＷＤ４０から、ＲＲＣ接続再開要求を受信するように設定される。送信機モジュール３５は、ＲＲＣ接続再開メッセージをＷＤ４０に送るように設定される。
【００５１】
図６は、処理回路要素４２を有する無線デバイス４０のブロック図である。いくつかの実施形態では、処理回路要素は、メモリ４４とプロセッサ４６とを含み得、メモリ４４は、プロセッサ４６によって実行されたとき、プロセッサ４６を、本明細書で説明される１つまたは複数の機能を実施するように設定する、命令を含んでいる。旧来のプロセッサおよびメモリに加えて、処理回路要素４２は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。
【００５２】
処理回路要素４２は、メモリ４４を含み、および／またはメモリ４４に接続され、および／またはメモリ４４にアクセスする（たとえば、メモリ４４に書き込むおよび／またはメモリ４４から読み取る）ために設定され得、メモリ４４は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ４４は、制御回路要素によって実行可能なコードおよび／または他のデータ、たとえば、通信に関係するデータ、たとえば、ノードの設定および／またはアドレスデータなどを記憶するように設定され得る。処理回路要素４２は、本明細書で説明される方法のいずれかを制御すること、および／またはそのような方法が、たとえば、プロセッサ４６によって実施されることを引き起こすように設定され得る。対応する命令がメモリ４４に記憶され得、メモリ４４は、処理回路要素４２にとって読取り可能であり、および／または処理回路要素４２に読取り可能に接続され得る。言い換えれば、処理回路要素４２はコントローラを含み得、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを備え得る。処理回路要素４２は、メモリを含むか、あるいはメモリに接続されるかまたはメモリに接続可能であり得、メモリは、コントローラおよび／または処理回路要素４２によって読み取り、および／または書き込みを行うためにアクセス可能であるように設定され得る。
【００５３】
メモリ４４は、ＲＲＣ接続再開メッセージ４８を記憶するように設定される。プロセッサ４６は、ＲＲＣ接続再開メッセージから、ＲＲＣ接続再開完了メッセージをいつ送るべきかを決定するように設定された送信時間決定器５０を実装する。受信機５２は、基地局２０からＲＲＣ接続再開メッセージを受信するように設定される。送信機５４は、ＲＲＣ接続再開メッセージがショート処理時間の予想を示すとき、第１の時間においてＲＲＣ接続再開完了メッセージを基地局２０に送ることと、ＲＲＣ接続再開メッセージがレガシー処理時間の予想を示すとき、第２の時間においてＲＲＣ接続再開完了メッセージを基地局２０に送ることとを行うように設定される。
【００５４】
図７は、ＲＲＣ接続再開メッセージから、ＲＲＣ接続再開完了メッセージをいつ送るべきかを決定するように設定された送信時間決定器モジュール５１を含む、ＷＤ４０の代替実施形態のブロック図である。受信機モジュール５３は、基地局２０からＲＲＣ接続再開メッセージを受信するように設定される。送信機モジュール５５は、基地局から受信されたメッセージ（たとえば、ＲＲＣ接続再開メッセージ）がショート処理時間の予想を示すとき、第１の時間においてＲＲＣ接続再開完了メッセージを基地局に送ることと、ＲＲＣ接続再開メッセージがレガシー処理時間の予想を示すとき、第２の時間においてＲＲＣ接続再開完了メッセージを基地局に送ることとを行うように設定される。第１の時間はショート処理時間に基づき、第２の時間はレガシー処理時間に基づく。
【００５５】
図８は、無線デバイス（ＷＤ）４０による無線リソース制御（ＲＲＣ）接続再開メッセージに応答するための処理時間をセットするための例示的なプロセスのフローチャートである。プロセスは、随意に、ＷＤ４０と基地局２０との間の通信がアイドル状態に入るとき、基地局２０においてＷＤコンテキストを記憶すること（ブロックＳ１００）を含む。プロセスはまた、随意に、ＷＤ４０から受信機３２を介して無線リソース制御（ＲＲＣ）接続再開要求を受信すること（ブロックＳ１０２）を含む。プロセスはまた、ショート処理時間条件がいつ存在するかを決定すること（ブロックＳ１０４）を含む。たとえば、ＷＤのためのＲＲＣ接続の再設定が、ステップのあらかじめ規定されたセットからのステップを使用する場合、ショート処理時間条件が存在することを決定され得る。代替または追加として、ＷＤのためのＲＲＣ接続の再設定が、シグナリングすることが必須であるパラメータのみを使用する場合、ショート処理時間条件が存在することを決定され得る。代替または追加として、ＷＤのためのＲＲＣ接続の再設定が、セキュリティキーのみを更新する場合、ショート処理時間条件が存在することを決定され得る。ショート処理時間条件が存在するとき、プロセスは、ショート処理時間の予想を示すメッセージ（たとえばＲＲＣ接続再開メッセージ）を送信機３４を介してＷＤ４０に送ること（ブロックＳ１０６）を含む。ショート処理時間条件が存在しないとき、プロセスは、レガシー処理時間の予想を示すＲＲＣ接続再開メッセージを送信機３４を介してＷＤ４０に送ること（ブロックＳ１０８）を含む。
【００５６】
図９は、基地局２０からの無線リソース制御（ＲＲＣ）接続再開メッセージに応答するための無線デバイス（ＷＤ）４０における例示的なプロセスのフローチャートである。プロセスは、基地局２０から受信機５２を介してＲＲＣ接続再開メッセージを受信すること（ブロックＳ１１０）を含む。プロセスはまた、基地局から受信されたメッセージ（たとえばＲＲＣ接続再開メッセージ）から、ＲＲＣ接続再開完了メッセージ５０をいつ送るべきかを決定すること（ブロックＳ１１２）を含む。プロセスはまた、ショート処理時間が示されたかどうかを決定すること（ブロックＳ１１４）を含む。プロセスはまた、メッセージがショート処理時間の予想を示すとき、第１の時間においてＲＲＣ接続再開完了メッセージを送信機５４を介して基地局２０に送ること（ブロックＳ１１６）を含む。プロセスはまた、メッセージがレガシー処理時間の予想を示すとき、第２の時間においてＲＲＣ接続再開完了メッセージを送信機５４を介して基地局２０に送ること（ブロックＳ１１８）を含む。
【００５７】
当業者によって諒解されるように、本明細書で説明される概念は、方法、データ処理システム、および／またはコンピュータプログラム製品として具現され得る。それに応じて、本明細書で説明される概念は、完全にハードウェアの実施形態、完全にソフトウェアの実施形態、またはソフトウェアとハードウェアの態様を組み合わせる実施形態の形態をとり得、すべて、概して、本明細書では「回路」または「モジュール」と呼ぶ。さらに、本開示は、コンピュータによって実行され得る媒体で具現されるコンピュータプログラムコードを有する有形コンピュータ使用可能記憶媒体上のコンピュータプログラム製品の形態をとり得る。ハードディスク、ＣＤ−ＲＯＭ、電子ストレージデバイス、光ストレージデバイス、または磁気ストレージデバイスを含む、任意の好適な有形コンピュータ可読媒体が利用され得る。
【００５８】
いくつかの実施形態が、方法、システムおよびコンピュータプログラム製品のフローチャートの例示図および／またはブロック図を参照しながら本明細書で説明された。フローチャートの例示図および／またはブロック図の各ブロック、ならびにフローチャートの例示図および／またはブロック図中のブロックの組合せが、コンピュータプログラム命令によって実装され得ることを理解されよう。これらのコンピュータプログラム命令は、機械を製造するために、（それにより専用コンピュータを作成するための）汎用コンピュータ、専用コンピュータ、または他のプログラマブルデータ処理装置のプロセッサに与えられ得、したがって、コンピュータまたは他のプログラマブルデータ処理装置のプロセッサを介して実行するそれらの命令は、フローチャートおよび／またはブロック図の１つまたは複数のブロックにおいて指定された機能／行為を実装するための手段を作成する。
【００５９】
これらのコンピュータプログラム命令はまた、コンピュータまたは他のプログラマブルデータ処理装置に特定の様式で機能するように指示することができる、コンピュータ可読メモリまたは記憶媒体に記憶され得、したがって、コンピュータ可読メモリに記憶されたそれらの命令は、フローチャートおよび／またはブロック図の１つまたは複数のブロックにおいて指定された機能／行為を実装する命令手段を含む製造品を生成する。
【００６０】
コンピュータプログラム命令はまた、コンピュータ実装プロセスを生成するために一連の動作ステップがコンピュータまたは他のプログラマブル装置上で実施されることを引き起こすために、コンピュータまたは他のプログラマブルデータ処理装置上にロードされ得、したがって、コンピュータまたは他のプログラマブル装置上で実行するそれらの命令は、フローチャートおよび／またはブロック図の１つまたは複数のブロックにおいて指定された機能／行為を実装するためのステップを与える。
【００６１】
ブロック中で言及される機能／行為は、動作の例示図中で言及される順序から外れて行われ得ることを理解されたい。たとえば、関与する機能／行為に応じて、連続して示されている２つのブロックが、事実上、実質的にコンカレントに実行され得るか、またはブロックが、時々、逆の順序で実行され得る。図のうちのいくつかが、通信の主要な方向を示すために通信経路上に矢印を含むが、通信が、図示された矢印と反対方向に行われ得ることを理解されたい。
【００６２】
本明細書で説明される概念の動作を行うためのコンピュータプログラムコードが、Ｊａｖａ（登録商標）またはＣ＋＋など、オブジェクト指向プログラミング言語で書かれ得る。しかしながら、本開示の動作を行うためのコンピュータプログラムコードは、「Ｃ」プログラミング言語など、従来の手続き型プログラミング言語でも書かれ得る。プログラムコードは、完全にユーザのコンピュータ上で、部分的にユーザのコンピュータ上で、スタンドアロンソフトウェアパッケージとして、部分的にユーザのコンピュータ上でおよび部分的にリモートコンピュータ上で、あるいは完全にリモートコンピュータ上で実行し得る。後者のシナリオでは、リモートコンピュータは、ローカルエリアネットワーク（ＬＡＮ）またはワイドエリアネットワーク（ＷＡＮ）を通して、ユーザのコンピュータに接続され得、あるいは接続は、（たとえば、インターネットサービスプロバイダを使用してインターネットを通して）外部コンピュータに行われ得る。
【００６３】
多くの異なる実施形態が、上記の説明および図面に関して本明細書で開示された。これらの実施形態のあらゆる組合せおよび部分組合せを文字通り説明および例示することは、過度に繰返しが多く、不明瞭にすることを理解されよう。それに応じて、すべての実施形態が任意のやり方および／または組合せで組み合わせられ得、図面を含む本明細書は、本明細書で説明される実施形態のすべての組合せおよび部分組合せ、ならびにそれらを作り、使用する様式およびプロセスの完全な説明を構成するために解釈されるものとし、任意のそのような組合せまたは部分組合せに対する請求をサポートするものとする。
【００６４】
本明細書で説明される実施形態は、上記で本明細書で特に示され、説明されたことに限定されないことが当業者によって諒解されよう。さらに、上記で反対のことが記載されていない限り、添付の図面のすべてが一定の縮尺であるとは限らないことに留意されたい。様々な変更および変形が、上記の教示に照らして可能である。
【図１】
0006886521.tif 000002
【図２】
0006886521.tif 000003
【図３】
0006886521.tif 000004
【図４】
0006886521.tif 000005
【図５】
0006886521.tif 000006
【図６】
0006886521.tif 000007
【図７】
0006886521.tif 000008
【図８】
0006886521.tif 000009
【図９】
0006886521.tif 000010